(57)【要約】【課題】バルク受信できる放送受信機において、チューナを複数利用するバルク受信を行うかどうかを適切に判定し、チューナの効率的利用を可能にする放送受信機を提供する。【解決手段】本発明の放送受信機は、従来型番組の解像度、バルク型番組の解像度、受信機スペック情報としてのパネル解像度などの情報に基づいてバルク受信を行う必要があるかどうか判定する。そして、バルク受信をしない場合はチューナを１つ使用する従来型番組を受信することにより、使用するチューナ数を減少させる。これにより、使用しないチューナの電源を落として電力消費を抑制することや、空いたチューナでの予想選局や裏番組録画など、チューナの効率的利用を可能にする。【選択図】図１
2010200205.tif 000002
【特許請求の範囲】
【請求項１】
番組を複数のチャネルで送信するバルク型番組、および、前記バルク型番組と同じ内容の番組を１つのチャネルで送信する従来型番組を受信する放送受信機であって、
複数のチューナと、
前記チューナが受信した番組を表示装置に出力する出力部と、
従来型番組の解像度、バルク型番組の解像度、および、前記表示装置の解像度に基づいて、バルク型番組と従来型番組のいずれを受信するか判定する受信伝送方式判定部と、
前記受信伝送方式判定部の判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御する制御部と
を備えることを特徴とする放送受信機。
【請求項２】
番組を複数のチャネルで送信するバルク型番組、および、前記バルク型番組と同じ内容の番組を１つのチャネルで送信する従来型番組を受信する放送受信機であって、
複数のチューナと、
前記チューナが受信した番組を蓄積する蓄積部と、
従来型番組を蓄積した場合のサイズ、バルク型番組を蓄積した場合のサイズ、および、前記蓄積部に番組を蓄積可能なサイズに基づいて、バルク型番組と従来型番組のいずれを受信するか判定する受信伝送方式判定部と、
前記受信伝送方式判定部の判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御する制御部と
を備えることを特徴とする放送受信機。
【請求項３】
複数のチューナを備え、番組を複数のチャネルで送信するバルク型番組、および、前記バルク型番組と同じ内容の番組を１つのチャネルで送信する従来型番組を受信し、受信した番組を表示装置に出力する放送受信機を制御する方法であって、
従来型番組の解像度、バルク型番組の解像度、および、前記表示装置の解像度に基づいて、バルク型番組と従来型番組のいずれを受信するか判定するステップと、
判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御するステップと、
前記制御するステップで定められたチューナで番組を受信するステップと、
前記番組を前記表示装置に出力するステップと
を備えることを特徴とする放送受信機の制御方法。
【請求項４】
複数のチューナと、前記チューナで受信した番組を蓄積する蓄積部とを備え、番組を複数のチャネルで送信するバルク型番組、および、前記バルク型番組と同じ内容の番組を１つのチャネルで送信する従来型番組を受信する放送受信機を制御する方法であって、
従来型番組を蓄積した場合のサイズ、バルク型番組を蓄積した場合のサイズ、および、前記蓄積部に番組を蓄積可能なサイズに基づいて、バルク型番組と従来型番組のいずれを受信するか判定するステップと、
判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御するステップと、
前記制御するステップで定められたチューナで番組を受信するステップと、
前記チューナが受信した番組を蓄積するステップと
を備えることを特徴とする放送受信機の制御方法。
【発明の詳細な説明】
【技術分野】
【０００１】
本発明は、バルク受信可能な放送受信機およびその制御方法に関する。
【背景技術】
【０００２】
バルク伝送方式とは、複数チャネル分の帯域を用いて（すなわち、放送受信機側は複数のチューナを稼動させて）複数のストリームを放送し、送信ビットレートを大幅に向上させる方式である。この方式によって、高解像映像（たとえば、４０００×２０００）の番組（以降、バルク型番組と呼ぶ）や、高速蓄積型コンテンツなど、データ量の多い番組をライブ放送することが可能になる。このとき放送局からは、従来型番組とバルク型番組が同時に送信されることになる。なお、従来型番組とは、現行の放送受信機で受信できる１チューナを使用した番組のことを呼ぶ。また、バルク型番組とファイル型の高速蓄積型コンテンツをまとめて、バルク伝送コンテンツとも表記する。また、バルク伝送コンテンツを受信することをバルク受信とも表記する。
【０００３】
バルク受信対応の放送受信機がバルク伝送コンテンツを受信する際には、複数のチューナを同時に稼動させる必要性がある。しかし、放送局側が従来型番組と同時にバルク伝送コンテンツを送信しているか否かにかかわらず常時バルク受信用のチューナを稼動させていては、消費電力が大きくなってしまうという問題がある。このような場合の対処法として、例えば、バルク伝送コンテンツが送信されている時だけ複数のチューナを稼働させることが考えられる。
【０００４】
また、放送波受信用のチューナを必要な場面だけ稼動させる技術として、外部接続機器の動作状態を判定材料としてチューナを稼動させるか否かを判定する技術が特開平０５−２０７４２６号公報（特許文献１）に開示されている。
【０００５】
特許文献１の技術は、チューナを内蔵するテレビと、チューナを持たない外部機器とを接続して予約録画を行う時に用いられる。このようなケースで特許文献１の技術を用いない場合、外部機器側のタイマで予約時刻を設定するため、外部機器は予約時刻になるまで待機状態にできる。しかし、予約時刻情報を持たないテレビ側はチューナを稼動させて受信した信号をデコードしつづける必要があり、テレビの電力消費が増大してしまっていた。そこで特許文献１では、テレビ側からの消費電流値を監視し、あらかじめ記憶しておいた外部機器待機モード時の消費電流値との差が所定の範囲を超えたときに、テレビ内のチューナとデコーダのみ電源を供給するようにした。
【先行技術文献】
【特許文献】
【０００６】
【特許文献１】特開平０５−２０７４２６号公報
【発明の概要】
【発明が解決しようとする課題】
【０００７】
しかし上記の技術では、バルク受信のメリットを得られない状況でもバルク受信を行う場合があった。例えば、パネル解像度が低いために高解像度のバルク型番組を十分に表示できない状況や、放送受信機がＨＤＤ等の記録装置を搭載していないために高速蓄積型コンテンツを蓄積できない状況である。
【０００８】
こうした状況にもかかわらず複数のチューナを稼働させバルク受信を行った場合、選局が遅くなる、裏番組録画数が減少する、チューナの電源を落とせず電力消費が増大するな
ど、チューナの効率的活用ができなくなる問題が生じる。そこで、このような状況であれば、バルク受信を行わずに従来型番組を受信することでチューナの使用数を減らし、フリーチューナ（空いているチューナ）を作ることが好ましい。
【０００９】
本発明は上記実情に鑑みてなされたものであり、その目的は、バルク受信可能な放送受信機において、バルク受信を行うかどうかを適切に判断し、チューナを効率的に活用できるようにする放送受信機およびその制御方法を提供することである。
【課題を解決するための手段】
【００１０】
上記目的を達成するために本発明では、以下の構成を採用する。すなわち、
番組を複数のチャネルで送信するバルク型番組、および、前記バルク型番組と同じ内容の番組を１つのチャネルで送信する従来型番組を受信する放送受信機であって、
複数のチューナと、
前記チューナが受信した番組を表示装置に出力する出力部と、
従来型番組の解像度、バルク型番組の解像度、および、前記表示装置の解像度に基づいて、バルク型番組と従来型番組のいずれを受信するか判定する受信伝送方式判定部と、
前記受信伝送方式判定部の判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御する制御部と
を備えることを特徴とする放送受信機である。
【００１１】
本発明ではまた、以下の構成を採用する。すなわち、
番組を複数のチャネルで送信するバルク型番組、および、前記バルク型番組と同じ内容の番組を１つのチャネルで送信する従来型番組を受信する放送受信機であって、
複数のチューナと、
前記チューナが受信した番組を蓄積する蓄積部と、
従来型番組を蓄積した場合のサイズ、バルク型番組を蓄積した場合のサイズ、および、前記蓄積部に番組を蓄積可能なサイズに基づいて、バルク型番組と従来型番組のいずれを受信するか判定する受信伝送方式判定部と、
前記受信伝送方式判定部の判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御する制御部と
を備えることを特徴とする放送受信機である。
【００１２】
本発明ではまた、以下の構成を採用する。すなわち、
複数のチューナを備え、番組を複数のチャネルで送信するバルク型番組、および、前記バルク型番組と同じ内容の番組を１つのチャネルで送信する従来型番組を受信し、受信した番組を表示装置に出力する放送受信機を制御する方法であって、
従来型番組の解像度、バルク型番組の解像度、および、前記表示装置の解像度に基づいて、バルク型番組と従来型番組のいずれを受信するか判定するステップと、
判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御するステップと、
前記制御するステップで定められたチューナで番組を受信するステップと、
前記番組を前記表示装置に出力するステップと
を備えることを特徴とする放送受信機の制御方法である。
【００１３】
本発明ではまた、以下の構成を採用する。すなわち、
複数のチューナと、前記チューナで受信した番組を蓄積する蓄積部とを備え、番組を複数のチャネルで送信するバルク型番組、および、前記バルク型番組と同じ内容の番組を１つのチャネルで送信する従来型番組を受信する放送受信機を制御する方法であって、
従来型番組を蓄積した場合のサイズ、バルク型番組を蓄積した場合のサイズ、および、前記蓄積部に番組を蓄積可能なサイズに基づいて、バルク型番組と従来型番組のいずれを受信するか判定するステップと、
判定結果がバルク型番組を受信するものであれば、前記チューナを複数用いてバルク型番組を受信させ、判定結果が従来型番組を受信するものであれば、前記チューナのうち１つを用いて従来型番組を受信させるようにチューナを制御するステップと、
前記制御するステップで定められたチューナで番組を受信するステップと、
前記チューナが受信した番組を蓄積するステップと
を備えることを特徴とする放送受信機の制御方法である。
【発明の効果】
【００１４】
本発明によれば、バルク受信可能な放送受信機において、バルク受信を行うかどうかを適切に判断し、チューナを効率的に活用できるようになる。
【図面の簡単な説明】
【００１５】
【図１】実施例１の放送受信機の構成を示すブロック図。
【図２Ａ】実施例１、２の処理全体のフローチャートの前半。
【図２Ｂ】実施例１、２の処理全体のフローチャートの後半。
【図３Ａ】実施例１，２で用いる放送波の情報の構成を説明する図。
【図３Ｂ】実施例１，２で用いる放送波の情報の流れを説明する図。
【図４】実施例１の受信伝送方式判定を示すフローチャート。
【図５】実施例１の受信伝送方式判定の判定材料を保持するテーブル。
【図６】実施例１の受信伝送方式判定の結果一覧表。
【図７】実施例２の放送受信機の構成を示すブロック図。
【図８Ａ】実施例２の受信伝送方式判定を示すフローチャートの前半。
【図８Ｂ】実施例２の受信伝送方式判定を示すフローチャートの後半。
【図９】実施例２において、受信伝送方式判定の判定材料に追加する項目。
【図１０】実施例２の受信伝送方式判定の結果一覧表。
【発明を実施するための形態】
【００１６】
以下に図面を参照して、この発明の好適な実施の形態を例示的に詳しく説明する。
【００１７】
＜実施例１＞
実施例１では、本発明の基本的な実施例について述べる。ここでは、バルク型番組は２つのチャネルで送信され、バルク受信を行うためには２つのチューナを要するものとする。また、従来型番組は１つのチャネルで送信され、受信するためには１つのチューナで足りる。
【００１８】
（装置の構成）
図１に示したブロック図を参照しつつ、本実施例における放送受信機の構成を説明する。図中で細い矢印はブロック間の情報の受け渡しを表し、太い矢印は放送信号やＴＳなど、映像及び音声情報の流れを表す。また、必要に応じて図３Ａに示した放送波に含まれる情報の構成や、図３Ｂに示した情報の流れを参照する。なお、以下の説明で用いる用語はＡＲＩＢ（社団法人電波産業会）の規格で定められた名称も含んでいるが、その意味は必ずしも規格の内容に限定されるわけではない。
【００１９】
視聴者がリモコンに表示された数字（たとえばチャネル１〜１２）を見てチャネルを選
択しボタンを押すと、リモコン信号受光部１０１がリモコン信号を受信する。リモコン信号受光部１０１は、受信したリモコン信号を制御部１０２に転送する。制御部１０２は、リモコン信号受光部１０１から受信したリモコン信号に応じて、チューナ制御部１０４に３桁番号を出力する。制御部１０２はまた、番組表作成制御部１１３への番組表作成指示、映像合成表示部１１５への映像出力指示、音声出力部１１６への音声出力指示を行う。
【００２０】
なお、３桁番号とは、装置の内部的にチャネルを特定するための３桁の番号であり、それぞれのリモコン信号に対応している。通常は上２桁が放送局を表し、下１桁は放送局が複数の映像を送信する場合にそれらを区別するために付けられる数字であるが、必ずしもこれに限定されない。
【００２１】
チューナ制御部１０４は、チューナ部１０５およびチューナ部１０６の稼動状況を管理する。また、各チューナ部の稼働フラグを保持する。また、制御部１０２からの３桁番号の入力があった場合、非稼動のチューナまたは現在選局中のチューナに対し、入力した３桁番号に対応する周波数チャネルへの選局指示を出す。
【００２２】
また、チューナ制御部１０４は、上記選局指示が終了した場合、またはＳＩ情報管理部１１２からの番組の切り換わりを検知した場合、チューナ部１０５およびチューナ部１０６それぞれに、所定の周波数チャネルへの選局指示および電源切換指示を出す。なお、前記所定の周波数チャネルとは、入力した３桁番号に対応する周波数チャネル、またはバルク伝送関連情報に含まれる接続周波数チャネルである。その際、チューナ部１０５およびチューナ部１０６の稼動フラグ、ＳＩ情報管理部１１２より取得したＥＩＴ、バルク伝送関連情報取得部１０８から取得したバルク伝送関連情報、必要であれば受信伝送方式判定部１０３への判定指示の結果を用いる。
【００２３】
なお、ＥＩＴとは「Ｅｖｅｎｔ  Ｉｎｆｏｒｍａｔｉｏｎ  Ｔａｂｌｅ」の略であり、ストリーム中の番組に関する様々な情報を有するテーブルである。ＥＩＴに記載される情報は、図３Ａの左側に示すように、現番組を特定するための番組ＩＤ、番組解像度、番組開始時刻、番組の３桁番号を特定するための番組チャネル番号、現番組と同じ番組を特定するための同一番組チャネル番号がある。
【００２４】
チューナ部１０５およびチューナ部１０６は、チューナ制御部から選局指示を受けた場合は指定された周波数チャネルの放送波を受信しストリームを生成する。また、チューナ制御部から電源切換指示を受けた場合は電源の切換を行う。このようにチューナを複数備えることにより、バルク受信が可能となる。
【００２５】
復調部１０７は、チューナが生成したストリームに対して復調処理を行い、ＴＳ（Ｔｒａｎｓｐｏｒｔ  Ｓｔｒｅａｍ）とＴＭＣＣ信号に分離する。復調部１０７はＴＳをデマックス部１０９に出力する。また、ＴＭＣＣ信号から、後述するバルク伝送関連情報を抽出し、バルク伝送関連情報取得部１０８へ出力する。
【００２６】
なおＴＭＣＣとは「Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ」の省略であり、伝送制御に関するパラメータであるバルク伝送関連情報を含んでいる。図３Ａの右側に示すように、バルク伝送関連情報には、伝送されたフレーム数を示すフレームカウンタ、他ストリームとの接続についての情報である他チャネルストリーム接続情報等が含まれる。他チャネルストリーム接続情報には、組み合わせてバルク受信をするべきストリームがあるかを示す接続フラグと、接続フラグがＯＮの場合はその接続先を示す接続チャネル番号がある。
【００２７】
バルク伝送関連情報取得部１０８は、復調部１０７より入力されたバルク伝送関連情報
を保持する。
【００２８】
デマックス部１０９は、復調部１０７で復調されたＴＳを分割する、いわゆるデマルチプレクサである。ＴＳには、図３Ａに示したように、映像符号化データと音声符号化データとＳＩ（Ｓｅｒｖｉｃｅ  Ｉｎｆｏｒｍａｔｉｏｎ）情報信号とが含まれている。映像復号部１１０は、映像符号化データを映像信号に復号化する。
【００２９】
映像信号は視聴者に提示する画面の主体となるものであり、その他の情報合成された上でパネルに表示される。音声復号部１１１は、音声符号化データを音声信号に復号化し、音声出力部１１６に出力する。音声信号は視聴者に提供される音声となる。ＳＩ情報管理部１１２は、ＳＩ情報信号を前述したＥＩＴなどのＳＩ情報に分割・管理する。以上で説明した放送波から得られる情報の流れの概略を図３Ｂに記載した。
【００３０】
番組表作成制御部１１３は、視聴者からリモコン信号受光部１０１と制御部１０２を通して番組表作成指示があった場合は、ＳＩ情報管理部１１２からの各ＳＩ情報を基に、番組表画面形成処理を行い、描画処理部１１４に描画指示を出す。描画処理部１１４は、番組表作成制御部１１３からの描画指示に基づき、番組表画面信号として描画する。映像合成表示部１１５は、映像信号と番組表画面信号とを合成し、画面へ表示する。音声出力部１１６は、音声復号部１１１からの音声信号に基づき音声を出力する。
【００３１】
受信機スペック情報管理部１１７は、放送受信機に接続された表示装置であるパネルの表示能力を示す、パネル解像度などの受信機スペック情報を保持し、受信伝送方式判定部の要求に応じて送信する。受信伝送方式判定部１０３は、バルク受信と従来型番組受信のいずれを行うかの受信伝送方式を判定し、判定結果をチューナ制御部１０４へ出力する。その際、チューナ制御部１０４からの従来型番組の３桁番号およびバルク型番組の３桁番号、ＳＩ情報管理部１１２からの従来型番組およびバルク型番組の番組解像度、受信機スペック情報管理部１１７からのパネル解像度を判断材料とする。
【００３２】
以上で述べてきた放送受信機は、その物理的な構成としては、画像表示用のパネルと一体として用いられて直接画像を表示するようにしても良い。あるいは、放送受信機に接続された画像表示用のパネルに電気的な信号を送信して画像を表示させるようにしても構わない。パネルを装置の外部に設置する場合、受信機スペック情報管理部は装置に接続されたパネルを認識して機械的に、または視聴者の入力により、パネル解像度を取得し保存する。
【００３３】
（処理全体の流れ）
続いて、図２のフローチャートを用いて処理全体を説明する。
【００３４】
ステップＳ１０１において、受信機は選局操作があったかどうかを判断する。なお、電源ＯＮにする操作があった場合も、チューナが使用開始される点では選局操作がされた場合と同様に扱われる。選局操作があった場合はＳ１０２へ移行し、選局操作が無かった場合はＳ１０３へ移行する。ステップＳ１０２において、チューナ制御部は空きチューナがあれば空きチューナに、なければ現選局中のチューナに選局受信を行わせる。続いてＳ１０５に移行する。
【００３５】
一方、ステップＳ１０３に進んだ場合、受信機はＳＩ情報管理部１１２よりＳＩ情報のひとつであるＥＩＴを取得し、Ｓ１０４へ移行する。ステップＳ１０４において、受信機は取得したＥＩＴの番組ＩＤを確認して、現選局中のチャネルにおいて番組が切り換わったかどうかを判断する。切り換わったと判断された場合はＳ１０５へ移行し、切り換わっていないと判断された場合はＳ１０１へ戻って処理を繰り返す。ステップＳ１０５におい
て、受信機は現選局中のチューナをチューナ（１）としてＳ１０６へ移行する。
【００３６】
ステップＳ１０６において、受信機は空きチューナがあるかどうかを判断する。空きチューナがある場合は、そのうちの一つをチューナ（２）としてＳ１０７へ移行し、無い場合はＳ１１９へ移行する。ステップＳ１０７において、受信機はＳＩ情報管理部１１２よりＥＩＴを取得してＳ１０８へ移行する。ステップＳ１０８において、受信機は取得したＥＩＴよりチューナ（１）で選局中の番組に同一番組が存在するかどうかを判断する。同一番組がある場合はＳ１１１へ移行し、無い場合はＳ１０９へ移行する。
【００３７】
ステップＳ１０９において、受信機はチューナ（１）で選局中の番組のバルク伝送関連情報を取得してＳ１１０に移行する。ステップＳ１１０において、受信機は選局中の番組の伝送方式を判定する。選局中の番組がバルク型番組であればＳ１１６へ移行し、選局中の番組が従来型番組であればＳ１１９へ移行する。
【００３８】
ステップＳ１１１において、受信機はチューナ（２）で前記同一番組を選局受信してＳ１１２へ移行する。ステップＳ１１２において、受信機はチューナ（１）の選局受信番組とチューナ（２）選局受信番組のバルク伝送関連情報を取得してＳ１１３へ移行する。ステップＳ１１３において、受信機はチューナ（１）の選局受信番組とチューナ（２）の選局受信番組の伝送方式を判断する。両方ともバルク型番組であればＳ１１６へ移行し、両方従来型番組であればＳ１１８へ移行し、どちらか一方がバルク型番組でもう一方が従来型番組であればＳ１１４へ移行する。
【００３９】
ステップＳ１１４において、受信機は図４に示す受信伝送方式判定フローに従って判定処理を行いＳ１１５へ移行する。この判定処理では、バルク型番組と従来型番組のいずれを受信するべきかの判定結果が得られる。ステップＳ１１５において、受信伝送方式判定結果が「バルク型番組受信」であった場合はＳ１１６へ移行し、「従来型番組受信」であった場合はＳ１１７へ移行する。
【００４０】
ステップＳ１１６に進んだ場合、受信機はチューナ（１）とチューナ（２）を使用してバルク型番組を選局受信してＳ１１９へ移行する。ステップＳ１１７に進んだ場合、受信機はバルク型番組を受信していたチューナでの受信を停止し、従来型番組を選局受信していたチューナを引き続き稼動してＳ１１９へ移行する。ステップＳ１１８に進んだ場合、受信機はチューナ（２）の稼動を停止し、チューナ（１）で従来型番組を選局受信してＳ１１９へ移行する。受信を停止したチューナは、必要があれば裏番組録画や予約選局に使用し、必要が無ければ電源切換指示を出して停止する。
【００４１】
ステップＳ１１９において、受信機は選局受信している番組の映像と音声を出力してＳ１２０へ移行する。ステップＳ１２０において、受信機はＴＳからＳＩ情報信号を抽出し、ＳＩ情報管理部１１２へ出力する。以上で一連の処理は終了し、適切なインターバルを置いてＳ１０１に戻り、次の選局を待つ。
【００４２】
（受信伝送方式判定フロー）
続いて、図４のフローチャートを用いて受信伝送方式判定部１０３における内部動作を説明する。本フローの判定は、受信伝送方式判定部１０３がチューナ制御部１０４からバルク型番組の３桁番号および従来型番組の３桁番号を入力された時に開始される。
【００４３】
ステップＳ２０１において、受信伝送方式判定部１０３は、チューナ制御部１０４から取得した従来型番組の３桁番号を基に、ＳＩ情報管理部１１２が保持するＥＩＴから、従来型番組の番組解像度を取得する。続いて、ステップＳ２０２において、受信機スペック情報管理部１１８よりパネル解像度を取得する。その後、ステップＳ２０３において、取
得した双方の解像度を比較する。従来型番組の解像度がパネル解像度より大きいまたは同解像度であった場合には、従来型番組でもパネルの性能以上または性能に等しい解像度が得られるので、Ｓ２０６へと移行する。
【００４４】
一方、従来型番組の解像度がパネル解像度未満の場合にはＳ２０４へと移行する。ステップＳ２０４において、受信伝送方式判定部１０３は、チューナ制御部１０４から取得したバルク型番組の３桁番号を基に、ＳＩ情報管理部１１２が保持するＥＩＴから、バルク型番組の解像度を取得する。その後、ステップＳ２０５において、従来型番組の解像度とバルク型番組の解像度を比較する。従来型番組の解像度がバルク型番組の解像度より大きいまたは同解像度であった場合には、従来型番組で充分な解像度が得られるので、Ｓ２０６へ移行する。なお、バルク型番組の解像度が従来型番組より低いまたは等しい場合としては、バルク型番組の帯域がデータ放送等に割り振られ、解像度向上には用いられていないような状況が考えられる。一方、従来型番組の解像度がバルク型番組の解像度未満の場合にはＳ２０７へ移行する。
【００４５】
ステップＳ２０６に進んだ場合、受信伝送方式判定部１０３は、判定結果として従来型番組を受信すると判定し、チューナ制御部１０４へ結果を出力する。ステップＳ２０７に進んだ場合、受信伝送方式判定部１０３は、判定結果としてバルク型番組を受信すると判定し、チューナ制御部１０４へ結果を出力する。
【００４６】
（受信伝送方式判定部内テーブル）
図５は、実施例１において、受信伝送方式判定部１０３内に保持するテーブルであり、以下では受信伝送方式判定部内テーブルと記載する。図６はパネル解像度を１９２０×１０８０と想定した上で、受信伝送方式判定部内テーブルに情報が入力された際の判定結果の全パターンを示す表である。以下に図５および図６を用いて受信伝送方式判定基準の説明を行う。
【００４７】
受信伝送方式判定部は、図４のＳ２０１において従来型番組の解像度を取得し、図４のＳ２０２においてパネル解像度（１０８０ｐ）を取得する。そして、受信伝送方式判定部内テーブル（図５）の「従来型番組解像度」「パネル解像度」項目に判断材料として追加する。
【００４８】
このとき、従来型番組の解像度が、２１６０ｐ、１０８０ｐ等、パネル解像度（１０８０ｐ）以上であれば、判定結果は「従来型番組受信」となる（図６：パターン１）。このときバルク型番組解像度は不問である。
【００４９】
一方、従来型番組の解像度が、７２０ｐ、４８０ｐ等、パネル解像度未満であれば、図４のＳ２０４においてバルク型番組の解像度を取得し、受信伝送方式判定部内テーブル（図５）の「バルク型番組解像度」項目に判断材料として追加する。
【００５０】
ここで、従来型番組の解像度が、バルク型番組の解像度以上であれば、判定結果は「従来型番組受信」となる（図６：パターン２）。一方、従来型番組の解像度が、バルク型番組の解像度未満であれば、判定結果は「バルク型番組受信」となる（図６：パターン３）。
【００５１】
以上の方法によれば、バルク型番組と従来型番組が同時に放送されているときに、パネル解像度、バルク型番組解像度および従来型番組解像度に基づいて、受信伝送方式を適切に判定することができる。バルク型番組を受信する必要がない場合は従来型番組を受信するので、チューナの使用数を減少させることができ、フリーチューナを確保することが可能になる。こうして確保されたフリーチューナを用いて、たとえば予想選局や裏番組録画
を行うなど装置の機能を効率的に活用し、視聴者の利便性を高めることができるようになる。あるいは、使用していないチューナの電源を落として装置の消費電力を抑制することが可能になる。一方、バルク受信を行う場合は高解像度番組の視聴や、高速蓄積型コンテンツの蓄積というバルク受信のメリットを享受できる。
【００５２】
なお、本実施例ではバルク受信は２つのチャネルで送信され、２つのチューナで受信することとしたが、実際はこれに限定されるものではなく、３つ以上のチャネルとすることも考えられる。その場合は放送される方式に応じて適切な数のチューナを複数用いて受信、バルク伝送関連情報中の接続フラグや接続チャネル番号も対応する個数設けておくべきことは言うまでもない。
【００５３】
＜実施例２＞
続いて、本発明の第２の実施例について説明を行う。本実施例は内部にＨＤＤを搭載している放送受信機の動作に特化しており、ＨＤＤ搭載有無、録画・ダウンロード設定などのＨＤＤ情報に応じた動作を行う。
【００５４】
（装置の構成）
図７は、本発明の第２の実施例における、放送受信機の構成を示すブロック図である。以下、実施例１と異なる部分を中心に各ブロックの機能を説明する。
【００５５】
制御部１０２は、実施例１に記載の動作に加え、リモコン信号受光部１０１を通じて録画開始指示・ダウンロード開始指示があった場合は、チューナ制御部１０４へリモコン信号に対応する３桁番号を出力する。そして、ＴＳの出力先をＨＤＤ２０２にするための録画指示およびダウンロード指示をＴＳ出力先制御部２０１へ出す。また、リモコン信号受光部１０１を通じて録画予約指示・ダウンロード予約指示があった場合は、録画・ダウンロード予約情報（録画開始時刻、３桁番号等）を保持する。そして、録画開始時刻になると、チューナ制御部１０４へリモコン信号に対応する３桁番号を出力し、ＴＳの出力先をＨＤＤ２０２にするための録画・ダウンロード指示をＴＳ出力先制御部２０１へ出す。
【００５６】
ＴＳ出力先制御部２０１は、制御部１０２から取得した録画・ダウンロード指示に基づき、ＴＳをデマックス部１０９かＨＤＤ２０２のいずれかに出力する。場合によってはＴＳをデマックス部とＨＤＤ双方に出力する。また、ＴＳ出力先情報を保持する。
【００５７】
ＨＤＤ２０２はＴＳ出力先制御部２０１から入力したＴＳを蓄積する。
【００５８】
ＨＤＤ情報管理部２０３は、ＨＤＤ２０２からＨＤＤ容量等のＨＤＤ情報を取得し、保持する。また、ＨＤＤ情報管理部２０３は、番組の３桁番号を入力されると、ＳＩ情報管理部より前記３桁番号に対応する番組の番組サイズを取得し、現時刻から番組終了時刻までの番組サイズとＨＤＤ内空き容量とを比較する。そして、ＨＤＤ内に番組を蓄積できる容量が残っているかどうかを示す蓄積可否フラグ、または現在のＨＤＤの残容量で番組をどのくらいの時間分蓄積できるかを示す蓄積可能時間を出力する。
【００５９】
受信伝送方式判定部１０３は、チューナ制御部１０４からの従来型番組の３桁番号およびバルク型番組の３桁番号の入力に応じて受信伝送方式を判定し、判定結果をチューナ制御部１０４へ出力する。判定に際しては、ＴＳ出力先制御部２０１より取得したＴＳ出力先情報、ＨＤＤ情報管理部２０３より取得した蓄積可否フラグおよび蓄積可能時間を用いる。判定に際してはさらに、ＳＩ情報管理部１１２より取得した従来型番組およびバルク型番組の番組解像度、受信機スペック情報管理部１１８より取得したパネル解像度を用いる。
【００６０】
（受信伝送方式判定フロー）
続いて、図８を用いて、受信伝送方式判定部１０３における動作を説明する。図８は受信伝送方式判定部１０３の動作を示すフローチャートである。なお、ステップＳ２０１〜Ｓ２０７の動作およびフローについては、上述した実施例１と同様の動作のため、説明を省略する。
【００６１】
受信伝送方式判定部１０３は、チューナ制御部１０４からのバルク型番組の３桁番号および従来型番組の３桁番号の入力に応じて、判定を開始する。まず、ステップＳ３０１において、受信伝送方式判定部１０３は、ＴＳ出力先制御部２０１よりＴＳ出力先情報を取得する。ステップＳ３０２において、受信伝送方式判定部１０３は、取得したＴＳ出力先情報からＴＳの出力先を判断する。ＨＤＤが出力先に含まれる場合は、本実施例に特徴的なＳ３０３へ移行する。一方、出力先がデマックス部だけの場合は、ＨＤＤに関する判断を行わずに、Ｓ２０１へ移行する。
【００６２】
ステップＳ３０３において、受信伝送方式判定部１０３は、従来型番組の３桁番号を基にＨＤＤ情報管理部２０３より従来型番組の蓄積可否を取得する。ステップＳ３０４において、受信伝送方式判定部１０３は、バルク型番組の３桁番号を基にＨＤＤ情報管理部２０３よりバルク型番組の蓄積可否を取得する。そして、ステップＳ３０５において、受信伝送方式判定部１０３は、従来型番組とバルク型番組の蓄積可否状況を判断する。そして、従来型番組のみ蓄積可能な場合はＳ２０６へ、バルク型番組のみ蓄積可能な場合はＳ２０７へ、従来型番組とバルク型番組の両方が蓄積可能だった場合はＳ２０１へ、従来型番組とバルク型番組の両方が蓄積不可能だった場合はＳ３０６へ移行する。
【００６３】
ステップＳ３０６において、受信伝送方式判定部１０３は、従来型番組の３桁番号を基にＨＤＤ情報管理部２０３より従来型番組の蓄積可能時間（従来型番組を、どの程度の時間までなら蓄積できるか）を取得する。ステップＳ３０７において、受信伝送方式判定部１０３は、バルク型番組の３桁番号を基にＨＤＤ情報管理部２０３よりバルク型番組の蓄積可能時間を取得する。そして、ステップＳ３０８において、受信伝送方式判定部１０３は、従来型番組の蓄積可能時間とバルク型番組の蓄積可能時間を比較する。そして、従来型番組の蓄積時間がバルク型番組の蓄積時間以上の場合はＳ２０６へ移行し、従来型番組の蓄積時間がバルク型番組の蓄積時間未満の場合はＳ２０７へ移行する。なお、バルク型番組の方が従来型番組よりも長時間蓄積できる可能性があるのは、図４のステップＳ２０５と同様の理由による。
【００６４】
（受信伝送方式判定部内テーブル）
図９は、実施例２において、実施例１での受信伝送方式判定部１０３内テーブルに追加する項目のテーブルであり、以下、受信伝送方式判定部内追加テーブルと記載する。図１０はパネル解像度を1920×1080と想定した上で、受信伝送方式判定部内追加テーブルに情報が入力された際の判定結果の追加パターンを示す表である。以下に図９および図１０を用いて受信伝送方式判定基準の説明を行う。
【００６５】
図８のＳ３０１において取得した放送波出力先情報を受信伝送方式判定部内追加テーブル（図９）の「ＴＳ出力先」の項目に追加し、図８のＳ３０２にてＴＳの出力先を判定する材料として用いる。
【００６６】
ＴＳ出力先がデマックス部と判定された場合は、図９における他の判定項目は利用せず、以降の判定方法として実施例１における受信伝送方式判定部内テーブル（図５）の判定項目を基に判定する（図１０：パターン１）。一方、ＴＳ出力先がＨＤＤと判定された場合は、図８のＳ３０３およびＳ３０４において取得した従来型番組とバルク型番組の蓄積可否を受信伝送方式判定部内追加テーブル（図９）に判断材料として追加する。そして、
図８のＳ３０５にて両伝送方式番組の蓄積可否を判定する。
【００６７】
従来型番組とバルク型番組の両方が蓄積可能と判定された場合は、図９における他の判定項目は利用せず、以降の判定方法として実施例１における受信伝送方式判定部内テーブル（図５）の判定項目を基に判定する（図１０：パターン２）。
【００６８】
従来型番組が蓄積可能でバルク型番組が蓄積不可能と判定された場合は、図５および図９におけるほかの判定項目は利用せず、判定結果は「従来型番組受信」となる（図１０：パターン３）。
【００６９】
従来型番組が蓄積不可能でバルク型番組が蓄積可能と判定された場合は、図５および図９におけるほかの判定項目は利用せず、判定結果は「バルク型番組受信」となる（図１０：パターン４）。
【００７０】
従来型番組とバルク型番組の両方が蓄積不可能と判定された場合は、図８のＳ３０６およびＳ３０７において取得した従来型番組とバルク型番組の蓄積可能時間を基に、図８のＳ３０８において双方の時間を比較する。そして、比較した結果を受信伝送方式判定部内追加テーブル（図９）の「蓄積可能時間比較結果」の項目に判断材料として追加する。
【００７１】
従来型番組蓄積可能時間がバルク型番組蓄積可能時間以上と判定された場合は、図５におけるほかの判定項目は利用せず、判定結果は「従来型番組受信」となる（図１０：パターン５）。
【００７２】
従来型番組蓄積可能時間がバルク型番組蓄積可能時間未満と判定された場合は、図５におけるほかの判定項目は利用せず、判定結果は「バルク型番組受信」となる（図１０：パターン６）。
【００７３】
以上の方法によれば、受信機が放送番組を蓄積するときに、ＴＳ出力先情報、従来型番組のＨＤＤ蓄積可否または蓄積可能時間、バルク型番組のＨＤＤ蓄積可否または蓄積可能時間に基づいて、受信伝送方式を適切に判定することができる。この判定結果を利用して受信方式を制御すれば、バルク受信をしたのにＨＤＤに蓄積できず、結果的に余計なチューナを使用するような事態を防ぐことが可能になる。これにより、バルク受信を行う場合は高速蓄積型コンテンツや高解像度番組の蓄積というメリットを享受できる。また、バルク受信を行わない場合はフリーチューナを確保することができるので、そのチューナを予想選局や裏番組録画などに利用でき、チューナの効率的な活用が可能となる。また、使用していないチューナの電源を落とすことにより消費電力を抑制することが可能になる。
【００７４】
なお、番組の蓄積部としてはＨＤＤを例として用いたが、その他のメモリ装置や光学メディア、あるいは磁気テープなど、録画機器全般に適用することができる。また、録画機器は受信機に組み込まれていても良いし、外部に接続され装置からの信号を受信する方式でも良い。
【符号の説明】
【００７５】
１０２  制御部
１０３  判定部
１０５，１０６  チューナ部
１０８  バルク伝送関連情報取得部
１１７  受信機スペック情報管理部
【図１】
2010200205.tif 000003
【図２Ａ】
2010200205.tif 000004
【図２Ｂ】
2010200205.tif 000005
【図３Ａ】
2010200205.tif 000006
【図３Ｂ】
2010200205.tif 000007
【図４】
2010200205.tif 000008
【図５】
2010200205.tif 000009
【図６】
2010200205.tif 000010
【図７】
2010200205.tif 000011
【図８Ａ】
2010200205.tif 000012
【図８Ｂ】
2010200205.tif 000013
【図９】
2010200205.tif 000014
【図１０】
2010200205.tif 000015